(57)【要約】【課題】巻線全体において巻線に含まれる絶縁紙の耐用期間を均一化することにより静止誘導機器の寿命を延長する。【解決手段】鉄心１０と、鉄心１０に巻き回され、導体および導体に巻かれている絶縁紙を含む巻線２０と、鉄心１０および巻線２０を収容するタンク３０と、タンク３０を互いの間に挟むように配置されてタンク３０を支持可能である、第１ベース７０および第２ベース１７０とを備える。第１ベース７０がタンク３０の下方に位置してタンク３０を支持している第１状態、および、第１状態から上下反転して、第２ベース１７０がタンク３０の下方に位置してタンク３０を支持している第２状態の両方で使用可能である。【選択図】図４
2015156457.tif 000002
【特許請求の範囲】
【請求項１】
鉄心と、
前記鉄心に巻き回され、導体および該導体に巻かれている絶縁紙を含む巻線と、
前記鉄心および前記巻線を収容するタンクと、
前記タンクを互いの間に挟むように配置されて前記タンクを支持可能である、第１ベースおよび第２ベースとを備え、
前記第１ベースが前記タンクの下方に位置して前記タンクを支持している第１状態、および、該第１状態から上下反転して、前記第２ベースが前記タンクの下方に位置して前記タンクを支持している第２状態の両方で使用可能である、静止誘導機器。
【請求項２】
前記タンクの内部と外部とを接続する外部接続部が、前記タンクの周壁に設けられている、請求項１に記載の静止誘導機器。
【請求項３】
前記タンクの内部と外部とを接続する外部接続部が、前記第１ベースおよび前記第２ベースの各々に設けられている、請求項１または２に記載の静止誘導機器。
【請求項４】
縦断面において前記第１ベースと前記第２ベースとの中央に位置する仮想線に対して、前記外部接続部が線対称に位置している、請求項２または３に記載の静止誘導機器。
【請求項５】
前記外部接続部が、前記巻線と電気的に接続されて前記タンクを貫通した導体を支持するブッシングである、請求項２に記載の静止誘導機器。
【発明の詳細な説明】
【技術分野】
【０００１】
本発明は、静止誘導機器に関する。
【背景技術】
【０００２】
巻線の温度を平均的に抑えることを図った車両用変圧器を開示した先行文献として、特開平９−１３４８２３号公報(特許文献１)がある。特許文献１に記載された車両用変圧器においては、鉄心の脚部の外周に低圧巻線を、低圧巻線の外周に高圧巻線をそれぞれ巻回すると共に、その各巻線間に冷却油道を形成することによって中身を構成している。この中身を、タンク内に、上記冷却油道がタンクの底面と平行になるように配置して、冷却油道が絶縁油の流れる方向に沿って直線的に形成されるようにしている。
【先行技術文献】
【特許文献】
【０００３】
【特許文献１】特開平９−１３４８２３号公報
【発明の概要】
【発明が解決しようとする課題】
【０００４】
巻線は、導体と導体の表面に巻かれている絶縁紙を含む。巻線の温度が長時間に亘って高温に維持された場合、高温に曝された絶縁紙は重合度が低下する。絶縁紙の重合度の低下が進行した場合、最終的に絶縁紙が破けて絶縁性能を喪失する。この場合、隣接する巻線同士が短絡して、静止誘導機器が使用不能となる。
【０００５】
絶縁紙の重合度が低下する速度は、絶縁紙が曝される温度が高いほど速くなる。タンク内の上方に位置する巻線の温度を、タンク内の下方に位置する巻線の温度と同様に抑えることは困難である。そのため、タンク内の上方に位置する巻線に含まれる絶縁紙の方が、タンク内の下方に位置する巻線に含まれる絶縁紙より、重合度が早く低下して耐用期間が短くなる。よって、タンク内の上方に位置する巻線に含まれる絶縁紙の耐用期間が、静止誘導機器の寿命を決定する一因になっていた。
【０００６】
本発明は上記の問題点に鑑みてなされたものであって、巻線全体において巻線に含まれる絶縁紙の耐用期間を均一化することにより寿命を延長した静止誘導機器を提供することを目的とする。
【課題を解決するための手段】
【０００７】
本発明に基づく静止誘導機器は、鉄心と、鉄心に巻き回され、導体および導体に巻かれている絶縁紙を含む巻線と、鉄心および巻線を収容するタンクと、タンクを互いの間に挟むように配置されてタンクを支持可能である、第１ベースおよび第２ベースとを備える。静止誘導機器は、第１ベースがタンクの下方に位置してタンクを支持している第１状態、および、第１状態から上下反転して、第２ベースがタンクの下方に位置してタンクを支持している第２状態の両方で使用可能である。
【発明の効果】
【０００８】
本発明によれば、巻線全体において巻線に含まれる絶縁紙の耐用期間を均一化することにより静止誘導機器の寿命を延長できる。
【図面の簡単な説明】
【０００９】
【図１】比較形態１に係る静止誘導機器の構成を示す断面図である。
【図２】図１の静止誘導機器をＩＩ−ＩＩ線矢印方向から見た断面図である。
【図３】本発明の実施形態１に係る静止誘導機器の構成を示す断面図である。
【図４】図３の静止誘導機器をＩＶ−ＩＶ線矢印方向から見た断面図である。
【図５】本実施形態に係る静止誘導機器の第２状態を示す断面図である。
【図６】本実施形態に係る静止誘導機器を使用期間の途中において上下反転させることにより静止誘導機器の寿命が延びることを説明するグラフである。
【図７】比較形態２に係る静止誘導機器の構成を示す断面図である。
【図８】本発明の実施形態２に係る静止誘導機器の構成を示す断面図である。
【図９】比較形態３に係る静止誘導機器の構成を示す断面図である。
【図１０】本発明の実施形態３に係る静止誘導機器の構成を示す断面図である。
【図１１】本発明の実施形態３の変形例に係る静止誘導機器の構成を示す断面図である。
【図１２】比較形態４に係る静止誘導機器の構成を示す断面図である。
【図１３】本発明の実施形態４に係る静止誘導機器の構成を示す断面図である。
【図１４】本発明の実施形態４の第１変形例に係る静止誘導機器の構成を示す断面図である。
【図１５】本発明の実施形態４の第２変形例に係る静止誘導機器の構成を示す断面図である。
【図１６】比較形態５に係る静止誘導機器の構成を示す断面図である。
【図１７】本発明の実施形態５に係る静止誘導機器の構成を示す断面図である。
【図１８】本発明の実施形態５の第１変形例に係る静止誘導機器の構成を示す断面図である。
【図１９】本発明の実施形態５の第２変形例に係る静止誘導機器の構成を示す断面図である。
【図２０】本発明の実施形態６に係る静止誘導機器の構成を示す断面図である。
【発明を実施するための形態】
【００１０】
以下、本発明の各実施形態に係る静止誘導機器について図面を参照して説明する。以下の実施形態の説明においては、図中の同一または相当部分には同一符号を付して、その説明は繰り返さない。なお、静止誘導機器としては、変圧器およびリアクトルなどが含まれる。
【００１１】
まず、比較形態１に係る静止誘導機器について説明する。
(比較形態１)
図１は、比較形態１に係る静止誘導機器の構成を示す断面図である。図２は、図１の静止誘導機器をＩＩ−ＩＩ線矢印方向から見た断面図である。
【００１２】
図１，２に示すように、比較形態１に係る静止誘導機器９００は、鉄心１０と、鉄心１０に巻き回され、導体および導体に巻かれている絶縁紙を含む巻線２０と、鉄心１０および巻線２０を収容するタンク３０と、タンク３０の下方に位置してタンク３０を支持する第１ベース７０とを備える。
【００１３】
鉄心１０は、複数の磁性鋼板が積層されて構成されている。鉄心１０は、３つの脚部を有している。鉄心１０の各脚部に、巻線２０が巻き回されている。
【００１４】
巻線２０は、鉄心１０の脚部に巻き回された低圧巻線、および、低圧巻線の外側に位置して鉄心１０の脚部に巻き回された高圧巻線を含む。静止誘導機器９００は、いわゆる内鉄型変圧器である。低圧巻線および高圧巻線の各々は、絶縁紙であるクラフト紙を巻かれて絶縁被覆された、銅からなる導体で構成されている。
【００１５】
鉄心１０および３つの巻線２０は、第１端枠４０および第２端枠５０によって挟まれて固定されている。具体的には、第１端枠４０および第２端枠５０の各々は、１対の枠部材から構成されている。鉄心１０において巻線２０の軸方向の一方側に位置する端部は、第１端枠４０を構成する１対の枠部材同士の間に挟まれて固定されている。鉄心１０において巻線２０の軸方向の他方側に位置する端部は、第２端枠５０を構成する１対の枠部材同士の間に挟まれて固定されている。
【００１６】
３つの巻線２０の各々は、第１端枠４０によって巻線２０の軸方向の一方側から押され、かつ、第２端枠５０によって巻線２０の軸方向の他方側から押されるように、第１端枠４０と第２端枠５０との間に挟まれて固定されている。
【００１７】
第１端枠４０は、ストッパー９１０と連結されている。ストッパー９１０は、タンク３０において巻線２０の軸方向の一方側に位置する内面に、接続されている。ストッパー９１０は、鉄心１０および巻線２０の水平方向の位置ずれを防止する。
【００１８】
第２端枠５０は、第１支持板６０と連結されている。第１支持板６０は、タンク３０において巻線２０の軸方向の他方側に位置する内面に、接続されている。第１支持板６０は、鉄心１０および巻線２０の重量を受け持ちつつ、鉄心１０および巻線２０の水平方向の位置ずれを防止する。
【００１９】
タンク３０の内部には、絶縁媒体が充填されている。タンク３０において巻線２０の軸方向の他方側に位置する端部は、第１ベース７０に固定されている。タンク３０において巻線２０の軸方向の一方側に位置する端部には、１次側ブッシング８０および２次側ブッシング８１が設けられている。
【００２０】
１次側ブッシング８０および２次側ブッシング８１の各々は、巻線２０と電気的に接続されてタンク３０を貫通した図示しない導体を支持する。すなわち、１次側ブッシング８０および２次側ブッシング８１の各々は、タンク３０の内部と外部とを接続する外部接続部である。１次側ブッシング８０を通じて、静止誘導機器９００に電流が入力される。２次側ブッシング８１を通じて、静止誘導機器９００から電流が出力される。
【００２１】
比較形態１に係る静止誘導機器９００においては、第１ベース７０が、常に、タンク３０の下方に位置してタンク３０を支持している。すなわち、常に、巻線２０の軸方向の一方側が上方側、巻線２０の軸方向の他方側が下方側になる。
【００２２】
鉄心１０および巻線２０の発熱によって加熱された高温の絶縁媒体は、タンク３０内の上方に移動する。そのため、タンク３０内における絶縁媒体の温度分布は、巻線２０の軸方向の一方側に行くに従って高くなる。
【００２３】
よって、巻線２０の軸方向の一方側に位置する絶縁紙の方が、巻線２０の軸方向の他方側に位置する絶縁紙より、重合度が早く低下する。その結果、巻線２０の軸方向の一方側に位置する絶縁紙の耐用期間が、静止誘導機器９００の寿命となる。
【００２４】
以下、本発明の実施形態１に係る静止誘導機器について説明する。なお、下記の実施形態の説明においては、比較形態１に係る静止誘導機器９００と同様の構成については説明を繰り返さない。
【００２５】
(実施形態１)
図３は、本発明の実施形態１に係る静止誘導機器の構成を示す断面図である。図４は、図３の静止誘導機器をＩＶ−ＩＶ線矢印方向から見た断面図である。
【００２６】
図３，４に示すように、本発明の実施形態１に係る静止誘導機器１００は、鉄心１０と、鉄心１０に巻き回され、導体および導体に巻かれている絶縁紙を含む巻線２０と、鉄心１０および巻線２０を収容するタンク３０と、タンク３０を互いの間に挟むように配置されてタンク３０を支持可能である、第１ベース７０および第２ベース１７０とを備える。
【００２７】
静止誘導機器１００は、第１ベース７０がタンク３０の下方に位置してタンク３０を支持している第１状態、および、第１状態から上下反転して、第２ベース１７０がタンク３０の下方に位置してタンク３０を支持している第２状態の両方で使用可能である。
【００２８】
図３，４においては、静止誘導機器１００の第１状態を示している。図５は、本実施形態に係る静止誘導機器の第２状態を示す断面図である。図５においては、図１と同一の方向から断面視して図示している。図３，５においては、静止誘導機器１００の縦断面において第１ベース７０と第２ベース１７０との中央に位置する仮想線１ａを図示している。図４においては、静止誘導機器１００の横断面において第１ベース７０と第２ベース１７０との中央に位置する仮想線１ｂを図示している。
【００２９】
図３〜５に示すように、第１端枠４０は、第２支持板１１０と連結されている。第２支持板１１０は、タンク３０において巻線２０の軸方向の一方側に位置する内面に、接続されている。第２支持板１１０は、静止誘導機器１００の第２状態において鉄心１０および巻線２０の重量を受け持ちつつ、鉄心１０および巻線２０の水平方向の位置ずれを防止する。一方、第１支持板６０は、静止誘導機器１００の第１状態において鉄心１０および巻線２０の重量を受け持ちつつ、鉄心１０および巻線２０の水平方向の位置ずれを防止する。
【００３０】
タンク３０において巻線２０の軸方向の一方側に位置する端部は、第２ベース１７０に固定されている。タンク３０の周壁に、１次側ブッシング８０および２次側ブッシング８１が設けられている。本実施形態においては、１次側ブッシング８０および２次側ブッシング８１は、互いに対向する周壁にそれぞれ設けられている。また、１次側ブッシング８０の中心軸および２次側ブッシング８１の中心軸の各々は、仮想線１ｂと重なっている。
【００３１】
本実施形態に係る静止誘導機器１００は、第２ベース１７０および第２支持板１１０を備えているため、上下反転して配置することができる。そのため、巻線２０の軸方向において、タンク３０内における絶縁媒体の温度分布を反転させることができる。絶縁媒体としては、絶縁油または絶縁ガスが用いられている。
【００３２】
具体的には、タンク３０内における絶縁媒体の温度分布は、静止誘導機器１００の第１状態では、巻線２０の軸方向の一方側に行くに従って高くなり、静止誘導機器１００の第２状態では、巻線２０の軸方向の他方側に行くに従って高くなる。
【００３３】
よって、巻線２０に含まれる絶縁紙の重合度は、静止誘導機器１００の第１状態では、巻線２０の軸方向の一方側に行くに従って速く低下し、静止誘導機器１００の第２状態では、巻線２０の軸方向の他方側に行くに従って速く低下する。
【００３４】
本実施形態に係る静止誘導機器１００を使用期間の途中において上下反転させることにより、巻線２０の全体において巻線２０に含まれる絶縁紙の耐用期間を均一化して静止誘導機器１００の寿命を延長することができる。
【００３５】
図６は、本実施形態に係る静止誘導機器を使用期間の途中において上下反転させることにより静止誘導機器の寿命が延びることを説明するグラフである。図６においては、縦軸に絶縁紙の重合度、横軸に使用開始後の経過年数を示している。また、図６においては、巻線２０の軸方向の一方側に位置する絶縁紙の重合度の推移を実線Ａで、巻線２０の軸方向の他方側に位置する絶縁紙の重合度の推移を実線Ｂで示している。
【００３６】
図６に示すように、使用開始からＴ1年経過するまでは、静止誘導機器１００を第１状態で使用する。この期間においては、巻線２０の軸方向の一方側に位置する絶縁紙の重合度の低下度合を示す直線Ａ1の傾きが、巻線２０の軸方向の他方側に位置する絶縁紙の重合度の低下度合を示す直線Ｂ1の傾きより大きい。
【００３７】
仮に、静止誘導機器１００を第１状態で最後まで使用し続けた場合、点線Ｃで示すように、絶縁紙の重合度が初期値ｎ0から限界値ｎeまで低下したＴ2年経過時が、巻線２０の軸方向の一方側に位置する絶縁紙の耐用期間となる。この場合、静止誘導機器１００の寿命がＴ2年となる。
【００３８】
本実施形態においては、使用開始からＴ1年経過時に、静止誘導機器１００を上下反転させて、それ以後は、静止誘導機器１００を第２状態で使用する。この期間においては、巻線２０の軸方向の他方側に位置する絶縁紙の重合度の低下度合を示す直線Ｂ2の傾きが、巻線２０の軸方向の一方側に位置する絶縁紙の重合度の低下度合を示す直線Ａ2の傾きより大きい。
【００３９】
このように静止誘導機器１００を上下反転させることにより、巻線２０の全体において巻線２０に含まれる絶縁紙の耐用期間を均一化することができる。図６の実線Ａ，Ｂで示すように、巻線２０の軸方向の一方側に位置する絶縁紙の重合度、および、巻線２０の軸方向の他方側に位置する絶縁紙の重合度の各々が、限界値ｎeまで低下するまでにかかる経過年数が同一であることが好ましい。すなわち、巻線２０の軸方向の一方側に位置する絶縁紙の耐用期間と、巻線２０の軸方向の他方側に位置する絶縁紙の耐用期間とを、ともにＴ3年にすることにより、静止誘導機器１００の寿命をＴ2年からＴ3年に延長することができる。
【００４０】
また、本実施形態に係る静止誘導機器１００においては、１次側ブッシング８０および２次側ブッシング８１をタンク３０の周壁に設けているため、静止誘導機器１００の第１状態および第２状態の両方において、１次側ブッシング８０および２次側ブッシング８１を使用可能に維持できる。
【００４１】
比較形態１に係る静止誘導機器９００のように、１次側ブッシング８０および２次側ブッシング８１を、タンク３０において巻線２０の軸方向の一方側に位置する端部に設けた場合、仮に静止誘導機器９００を上限反転させると、１次側ブッシング８０および２次側ブッシング８１が、タンク３０の下方に位置することになり、構造上成り立たなくなる。そのため、静止誘導機器９００では、１次側ブッシング８０および２次側ブッシング８１を使用可能に維持できなくなる。
【００４２】
さらに、本実施形態に係る静止誘導機器１００においては、１次側ブッシング８０の中心軸および２次側ブッシング８１の中心軸の各々が仮想線１ｂと重なるように、１次側ブッシング８０および２次側ブッシング８１を配置している。
【００４３】
これにより、静止誘導機器１００の第１状態および第２状態の両方において、１次側ブッシング８０および２次側ブッシング８１によりそれぞれ支持する導体の設置高さを同一にすることができる。
【００４４】
以下、比較形態２および実施形態２に係る静止誘導機器について説明する。なお、下記の比較形態および実施形態の説明においては、比較形態１または実施形態１に係る静止誘導機器と同様の構成については説明を繰り返さない。
【００４５】
(比較形態２、実施形態２)
図７は、比較形態２に係る静止誘導機器の構成を示す断面図である。図８は、本発明の実施形態２に係る静止誘導機器の構成を示す断面図である。図７においては、図２と同一の方向から断面視して図示している。図８においては、図４と同一の方向から断面視して図示している。
【００４６】
図７に示すように、比較形態２に係る静止誘導機器９００ａにおいては、静止誘導機器９００ａを水平移動させるために、タンク３０の周壁において巻線２０の軸方向の一方側にのみ第１吊り手３１が設けられている。
【００４７】
図８に示すように、本発明の実施形態２に係る静止誘導機器１００ａにおいては、静止誘導機器１００ａを上下反転させるために、タンク３０の周壁において巻線２０の軸方向の一方側に第１吊り手３１が設けられ、タンク３０の周壁において巻線２０の軸方向の他方側に第２吊り手１３１が設けられている。
【００４８】
比較形態２に係る静止誘導機器９００ａでは、静止誘導機器９００ａを上下反転させることができない。本実施形態に係る静止誘導機器１００ａでは、静止誘導機器１００ａを上下反転させて静止誘導機器１００ａを第１状態から第２状態にすることができる。
【００４９】
以下、比較形態３および実施形態３に係る静止誘導機器について説明する。なお、下記の比較形態および実施形態の説明においては、比較形態１または実施形態１に係る静止誘導機器と同様の構成については説明を繰り返さない。
【００５０】
(比較形態３、実施形態３)
図９は、比較形態３に係る静止誘導機器の構成を示す断面図である。図１０は、本発明の実施形態３に係る静止誘導機器の構成を示す断面図である。図９においては、図１と同一の方向から断面視して図示している。図１０においては、図３と同一の方向から断面視して図示している。
【００５１】
図９に示すように、比較形態３に係る静止誘導機器９００ｂにおいては、タンク３０内において巻線２０の軸方向の一方側に電圧調整器９０が配置されている。電圧調整器９０は、第１端枠４０に接続された支持部９１によって支持されている。電圧調整器９０は、各巻線２０から引き出されたリード線９２と電気的に接続されている。
【００５２】
図１０に示すように、本発明の実施形態３に係る静止誘導機器１００ｂにおいては、タンク３０内において巻線２０の軸方向の一方側から他方側に亘って電圧調整器９０が配置されている。電圧調整器９０は、第１端枠４０と第２端枠５０とに接続された支持部９１によって支持されている。
【００５３】
比較形態３に係る静止誘導機器９００ｂでは、静止誘導機器９００ｂを上下反転させることができない。本実施形態に係る静止誘導機器１００ｂでは、静止誘導機器１００ｂを上下反転させて静止誘導機器１００ｂを第１状態から第２状態にすることができる。
【００５４】
なお、電圧調整器９０の配置は上記に限られない。図１１は、本発明の実施形態３の変形例に係る静止誘導機器の構成を示す断面図である。図１１においては、図３と同一の方向から断面視して図示している。
【００５５】
図１１に示すように、本発明の実施形態３の変形例に係る静止誘導機器１００ｃにおいては、タンク３０内において電圧調整器９０の中心軸が仮想線１ａと重なるように、電圧調整器９０を配置しているが、電圧調整器９０の中心軸と仮想線１ａとは必ずしも重なっていなくてもよい。
【００５６】
本発明の実施形態３の変形例に係る静止誘導機器１００ｃにおいても、静止誘導機器１００ｃを上下反転させて静止誘導機器１００ｃを第１状態から第２状態にすることができる。
【００５７】
以下、比較形態４および実施形態４に係る静止誘導機器について説明する。なお、下記の比較形態および実施形態の説明においては、比較形態１または実施形態１に係る静止誘導機器と同様の構成については説明を繰り返さない。
【００５８】
(比較形態４、実施形態４)
図１２は、比較形態４に係る静止誘導機器の構成を示す断面図である。図１３は、本発明の実施形態４に係る静止誘導機器の構成を示す断面図である。図１２においては、図１と同一の方向から断面視して図示している。図１３においては、図３と同一の方向から断面視して図示している。
【００５９】
図１２に示すように、比較形態４に係る静止誘導機器９００ｃにおいては、タンク３０より上側の位置にコンサベータ９３が配置されている。タンク３０の周壁は、補強部９６によって覆われている。タンク３０において巻線２０の軸方向の一方側の端部の外側に、第１フランジ９５が設けられている。
【００６０】
コンサベータ９３は、支持台９７によって支持されている。支持台９７は、第１ボルト９８によって補強部９６に固定されている。コンサベータ９３の内部は、第１フランジ９５と接続された配管９４を通じて、タンク３０の内部と連通している。コンサベータ９３は、タンク３０内の絶縁媒体である絶縁油の膨張および収縮による体積変化を吸収する装置である。
【００６１】
図１３に示すように、本発明の実施形態４に係る静止誘導機器１００ｄにおいては、第２ベース１７０に第１フランジ９５が設けられ、第１ベース７０に第２フランジ１９５が設けられている。それぞれ外部接続部である第１フランジ９５と第２フランジ１９５とは、仮想線１ａに対して線対称に位置している。
【００６２】
補強部９６には、仮想線１ａに対して互いに線対称に位置するように、第１ボルト９８と第２ボルト１９８とが挿通されている。静止誘導機器１００ｄの第１状態においては、支持台９７は、第１ボルト９８によって補強部９６に固定される。静止誘導機器１００ｄの第２状態においては、支持台９７は、第２ボルト１９８によって補強部９６に固定される。
【００６３】
静止誘導機器１００ｄの第１状態においては、コンサベータ９３の内部は、第１フランジ９５と接続された配管９４を通じて、タンク３０の内部と連通する。静止誘導機器１００ｄの第２状態においては、コンサベータ９３の内部は、第２フランジ１９５と接続された配管９４を通じて、タンク３０の内部と連通する。
【００６４】
比較形態４に係る静止誘導機器９００ｃでは、静止誘導機器９００ｃを上下反転させることができない。本実施形態に係る静止誘導機器１００ｄでは、静止誘導機器１００ｄを上下反転させて静止誘導機器１００ｄを第１状態から第２状態にすることができる。
【００６５】
また、本実施形態に係る静止誘導機器１００ｄにおいては、第１フランジ９５と第２フランジ１９５とが仮想線１ａに対して線対称に位置しているため、静止誘導機器１００ｄの第１状態および第２状態において、配管９４との接続位置を同一にすることができる。すなわち、第１状態における第１フランジ９５と配管９４との接続位置と、第２状態における第２フランジ１９５と配管９４との接続位置とを同一にすることができる。
【００６６】
なお、コンサベータ９３の支持構造は上記に限られない。図１４は、本発明の実施形態４の第１変形例に係る静止誘導機器の構成を示す断面図である。図１５は、本発明の実施形態４の第２変形例に係る静止誘導機器の構成を示す断面図である。図１４，１５においては、図３と同一の方向から断面視して図示している。
【００６７】
図１４に示すように、本発明の実施形態４の第１変形例に係る静止誘導機器１００ｅにおいては、コンサベータ９３は、架台９９によって支持されている。このように、コンサベータ９３を架台９９によって支持することにより、補強部９６、第１ボルト９８および第２ボルト１９８を不要にできる。これにより、静止誘導機器１００ｄを上下反転させる際の作業に比較して、静止誘導機器１００ｅを上下反転させる際の作業を容易にすることができる。
【００６８】
図１５に示すように、本発明の実施形態４の第２変形例に係る静止誘導機器１００ｆにおいては、第２フランジ１９５がタンク３０の周壁に設けられている。第２フランジ１９５の中心軸が仮想線１ａと重なるように、第２フランジ１９５を配置している。第１フランジ９５は、設けていない。
【００６９】
本発明の実施形態４の第２変形例に係る静止誘導機器１００ｆにおいても、第２フランジ１９５を仮想線１ａに対して線対称に配置しているため、静止誘導機器１００ｆの第１状態および第２状態において、配管９４と第２フランジ１９５との接続位置を同一にすることができる。
【００７０】
以下、比較形態５および実施形態５に係る静止誘導機器について説明する。なお、下記の比較形態および実施形態の説明においては、比較形態１または実施形態１に係る静止誘導機器と同様の構成については説明を繰り返さない。
【００７１】
(比較形態５、実施形態５)
図１６は、比較形態５に係る静止誘導機器の構成を示す断面図である。図１７は、本発明の実施形態５に係る静止誘導機器の構成を示す断面図である。図１６においては、図２と同一の方向から断面視して図示している。図１７においては、図４と同一の方向から断面視して図示している。
【００７２】
図１６に示すように、比較形態５に係る静止誘導機器９００ｄにおいては、タンク３０の外側に絶縁媒体を冷却するラジエータ９３０が配置されている。タンク３０において巻線２０の軸方向の一方側の端部の外側に、第１フランジ９５０が設けられている。タンク３０の周壁に、第１フランジ９５１が設けられている。
【００７３】
ラジエータ９３０の一端は、配管９４０を通じて第１フランジ９５０に接続されている。ラジエータ９３０の他端は、第１フランジ９５１に接続されている。タンク３０内で高温になった絶縁媒体が、第１フランジ９５０から配管９４０およびラジエータ９３０を通過する間に冷却されて第１フランジ９５１からタンク３０内に戻る。このように、タンク３０内の絶縁媒体がラジエータ９３０を通過して循環することにより、絶縁媒体の温度上昇が抑制される。
【００７４】
図１７に示すように、本発明の実施形態５に係る静止誘導機器１００ｇにおいては、第２ベース１７０に第１フランジ９５０が設けられ、第１ベース７０に第２フランジ１５０が設けられている。タンク３０の周壁に、第１フランジ９５１および第２フランジ１５１が設けられている。
【００７５】
それぞれ外部接続部である第１フランジ９５０と第２フランジ１５０とは、仮想線１ｂに対して線対称に位置している。それぞれ外部接続部である第１フランジ９５１と第２フランジ１５１とは、仮想線１ｂに対して線対称に位置している。なお、第１フランジ９５０，９５１および第２フランジ１５０、１５１の各々は、タンク３０の長手方向(仮想線１ａと平行な方向)において、タンク３０の中央の位置に配置されている。
【００７６】
静止誘導機器１００ｇの第１状態においては、ラジエータ９３０の一端は、配管９４０を通じて第１フランジ９５０に接続される。ラジエータ９３０の他端は、第１フランジ９５１に接続される。タンク３０内で高温になった絶縁媒体は、第１フランジ９５０から配管９４０およびラジエータ９３０を通過する間に冷却されて第１フランジ９５１からタンク３０内に戻る。
【００７７】
静止誘導機器１００ｇの第２状態においては、ラジエータ９３０の一端は、配管９４０を通じて第２フランジ１５０に接続される。ラジエータ９３０の他端は、第２フランジ１５１に接続される。タンク３０内で高温になった絶縁媒体は、第２フランジ１５０から配管９４０およびラジエータ９３０を通過する間に冷却されて第２フランジ１５１からタンク３０内に戻る。
【００７８】
比較形態５に係る静止誘導機器９００ｄでは、静止誘導機器９００ｄを上下反転させることができない。本実施形態に係る静止誘導機器１００ｇでは、静止誘導機器１００ｇを上下反転させて静止誘導機器１００ｇを第１状態から第２状態にすることができる。
【００７９】
また、本実施形態に係る静止誘導機器１００ｇにおいては、第１フランジ９５０，９５１と第２フランジ１５０，１５１とが仮想線１ｂに対してそれぞれ線対称に位置しているため、静止誘導機器１００ｇの第１状態および第２状態において、ラジエータ９３０および配管９４０との接続位置を同一にすることができる。
【００８０】
すなわち、第１状態における第１フランジ９５０と配管９４０との接続位置と、第２状態における第２フランジ１５０と配管９４０との接続位置とを同一にすることができる。また、第１状態における第１フランジ９５１とラジエータ９３０の他端との接続位置と、第２状態における第２フランジ１５１とラジエータ９３０の他端との接続位置とを同一にすることができる。
【００８１】
なお、ラジエータ９３０の接続構造は上記に限られない。図１８は、本発明の実施形態５の第１変形例に係る静止誘導機器の構成を示す断面図である。図１９は、本発明の実施形態５の第２変形例に係る静止誘導機器の構成を示す断面図である。図１８，１９においては、図４と同一の方向から断面視して図示している。
【００８２】
図１８に示すように、本発明の実施形態５の第１変形例に係る静止誘導機器１００ｈにおいては、第２フランジ１５１の中心軸が仮想線１ｂと重なるように、第２フランジ１５１を配置している。第１フランジ９５１は、設けていない。
【００８３】
本発明の実施形態５の第１変形例に係る静止誘導機器１００ｈにおいても、第２フランジ１５１を仮想線１ｂに対して線対称に配置しているため、静止誘導機器１００ｈの第１状態および第２状態において、第２フランジ１５１とラジエータ９３０の他端との接続位置を同一にすることができる。
【００８４】
図１９に示すように、本発明の実施形態５の第２変形例に係る静止誘導機器１００ｉにおいては、第１フランジ９５０、第２フランジ１５０および配管９４０を設けていない。ラジエータ９３０の一端は、第２フランジ１５１に接続される。ラジエータ９３０の他端は、第１フランジ９５１に接続される。
【００８５】
本発明の実施形態５の第２変形例に係る静止誘導機器１００ｉにおいては、静止誘導機器１００ｉを上下反転させて静止誘導機器１００ｉを第１状態から第２状態にする際に、ラジエータ９３０とタンク３０との接続を解除しない。すなわち、静止誘導機器１００ｉの第１状態と、静止誘導機器１００ｉの第２状態とにおいて、ラジエータ９３０内の絶縁媒体の流動方向を逆転させる。
【００８６】
具体的には、静止誘導機器１００ｉの第１状態においては、タンク３０内で高温になった絶縁媒体が、第２フランジ１５１からラジエータ９３０を通過する間に冷却されて第１フランジ９５１からタンク３０内に戻るようにする。静止誘導機器１００ｉの第２状態においては、タンク３０内で高温になった絶縁媒体が、第１フランジ９５１からラジエータ９３０を通過する間に冷却されて第２フランジ１５１からタンク３０内に戻るようにする。
【００８７】
これにより、静止誘導機器１００ｇ，１００ｈを上下反転させる際の作業に比較して、静止誘導機器１００ｉを上下反転させる際の作業を容易にすることができる。
【００８８】
以下、実施形態６に係る静止誘導機器について説明する。なお、下記の実施形態の説明においては、実施形態１に係る静止誘導機器と同様の構成については説明を繰り返さない。
【００８９】
(実施形態６)
図２０は、本発明の実施形態６に係る静止誘導機器の構成を示す断面図である。図２０においては、図４と同一の方向から断面視して図示している。
【００９０】
図２０に示すように、本発明の実施形態６に係る静止誘導機器１００ｊにおいては、第２ベース１７０に第１フランジ９５０が設けられ、第１ベース７０に第２フランジ１５０が設けられている。
【００９１】
それぞれ外部接続部である第１フランジ９５０と第２フランジ１５０とは、仮想線１ｂに対して線対称に位置している。なお、第１フランジ９５０および第２フランジ１５０の各々は、タンク３０の長手方向(仮想線１ａと平行な方向)において、タンク３０の中央の位置に配置されている。
【００９２】
静止誘導機器１００ｊは、絶縁媒体の温度を計測する温度計、または、タンク３０内の圧力を一定に保つための放圧装置など、タンク３０の外側に配置されてタンク３０の内部と接続される外部装置９２０を備える。
【００９３】
静止誘導機器１００ｊの第１状態においては、外部装置９２０は、第１フランジ９５０に接続される。静止誘導機器１００ｊの第２状態においては、外部装置９２０は、第２フランジ１５０に接続される。
【００９４】
本実施形態に係る静止誘導機器１００ｊにおいては、第１フランジ９５０と第２フランジ１５０とが仮想線１ｂに対してそれぞれ線対称に位置しているため、静止誘導機器１００ｊの第１状態および第２状態において、外部装置９２０との接続位置を同一にすることができる。
【００９５】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００９６】
１０  鉄心、２０  巻線、３０  タンク、３１，１３１  吊り手、４０  第１端枠、５０  第２端枠、６０  第１支持板、７０  第１ベース、８０  １次側ブッシング、８１  ２次側ブッシング、９０  電圧調整器、９１  支持部、９２  リード線、９３  コンサベータ、９４，９４０  配管、９５，９５０，９５１  第１フランジ、９６  補強部、９７  支持台、９８  第１ボルト、９９  架台、１００，１００ａ，１００ｂ，１００ｃ，１００ｄ，１００ｅ，１００ｆ，１００ｇ，１００ｈ，１００ｉ，１００ｊ，９００，９００ａ，９００ｂ，９００ｃ，９００ｄ  静止誘導機器、１１０  第２支持板、１５０，１５１，１９５  第２フランジ、１７０  第２ベース、１９８  第２ボルト、９１０  ストッパー、９２０  外部装置、９３０  ラジエータ。
【図１】
2015156457.tif 000003
【図２】
2015156457.tif 000004
【図３】
2015156457.tif 000005
【図４】
2015156457.tif 000006
【図５】
2015156457.tif 000007
【図６】
2015156457.tif 000008
【図７】
2015156457.tif 000009
【図８】
2015156457.tif 000010
【図９】
2015156457.tif 000011
【図１０】
2015156457.tif 000012
【図１１】
2015156457.tif 000013
【図１２】
2015156457.tif 000014
【図１３】
2015156457.tif 000015
【図１４】
2015156457.tif 000016
【図１５】
2015156457.tif 000017
【図１６】
2015156457.tif 000018
【図１７】
2015156457.tif 000019
【図１８】
2015156457.tif 000020
【図１９】
2015156457.tif 000021
【図２０】
2015156457.tif 000022